(57)【要約】【目的】フロントプロジェクターの画面切り替えを説明者が説明時に使用するレーザーポインターのみで可能とし、従来のように別途ＰＣの画面をキー操作したり、介助者に指示する必要をなくし利便性と快適性の向上を図る。【構成】本発明は、レーザーポインター（１）の光を検知する受光部、制御部およびこの信号を遠隔部に発信する発信部を有する受光器（２）と、前述の信号の受信部およびパーソナルコンピューター（４）への制御信号に変換する制御部を有する受信器（３）、ならびにこの制御信号に基ずきその画面を制御する駆動部より成る一連のシステムとして構成される。【選択図】　図１
2004054873.tif 000002
【特許請求の範囲】
【請求項１】
レーザーポインターの光を検知する受光部、制御部およびこの信号を遠隔部に発信する発信部を有する受光器と、前述の信号の受信部およびコンピューターへの制御信号に変換する制御部を有する受信器、ならびにこの制御信号に基ずきコンピューターの画面操作をする駆動部より成る一連のシステム。
【発明の詳細な説明】
【０００１】
【産業上の利用分野】
本発明は、パーソナルコンピューター（以下ＰＣ）等コンピューターの画面情報をフロントプロジェクター（以下ＦＰ）で比較的大画面のスクリーンに投影する分野に利用し多大な便益を提供しようとするものである。特徴は投影画面の説明に用いられるレーザーポインター（以下ＬＰ）で画面変更等の指示操作も行おうとするもので、操作者（概して講演時は講演者もしくはその介助者）の負担を大幅に軽減かつ確実にしまた視聴者にとっても雰囲気が改善されることが期待できる。
【０００２】
【従来の技術】
従来、ＦＰで投影された画面の切り替えや送り戻し等の操作は情報源を有するＰＣのキー操作で行っていた。この操作はＰＣが講演やプレゼンテーションする本人の手元にある時は本人が、また遠隔にある時は介助者が前者の指示に基ずき行っていた。
【０００３】
【発明が解決しようとする課題】
上述のように従来は講演者等本人がＬＰで投影画面の説明と同時に画面操作を行うことはできず、ＰＣの操作を同本人かもしくはその指示で介助者が別途に行う必要があった。特にＰＣが離れて設けられているような場合、一般的には操作指示を本人から口頭で介助者に逐次告げねばならずわずらわしく不確実で視聴者にとっても耳障りであった。
【０００４】
【課題を解決するための手段】
本発明は、ＬＰの光を検知する受光部、制御部およびこの信号を遠隔部に発信する発信部を有する受光器と、前述の信号の受信部およびＰＣ等コンピューターへの制御信号に変換する制御部を有する受信器、ならびにこの制御信号に基ずきＰＣの画面制御をする駆動部より成る一連のシステムとして構成される。これにより説明者等本人はＰＣに直接触れずに自由に投影画面の切り替え等制御をＬＰのみで行える。すなわち画面が投影されるスクリーン近傍には受光器をまたこれからの信号を受ける受信部は遠隔設置された場合でもＰＣの近傍に設け、まず説明者等本人が説明用に使うＬＰで受光器にレーザー光を発し指示すると、これを受光し光電変換制御の後適宜別信号に変換して受信器に送信する。この信号伝達手段としては電波等無線が便利であるが有線でも可能である。受信部で受信された前記信号はそれに応じてＰＣに制御信号に変換され送られる。この結果ＰＣにあらかじめ設けられた駆動部は画面信号源を操作し結果的にＰＪの投影するスクリーン画面を変更等操作し所期の目的を達成する。
【０００５】
【発明実施の形態】
この目的のため受光器は受信部をＬＰの光を受けやすいスクリーン近傍の位置に設置し、またこれから発せられる信号はＰＣ近傍に設けられた受信器に信号が伝達されるように設ける。これよりＰＣに伝達されるＰＣ画面の制御信号は原則的にこの出力部よりＰＣの入力部に有線で送られる。ＰＣの画面操作は予めこの目的にあうようプログラムされたソフトウエアに伝えられ所期の目的操作がなされる。なお駆動操作の機能としては次の画面へ進めるか、前の画面に戻る程度の簡単なものでよい場合が多いので、このソフトウエアは必ずしも予めローディングしなくてもよい場合もある。以上の操作の結果はＰＣからＦＰに伝えられただちにスクリーン画面の変化として説明者本人が確認できる。
【０００６】
【実施例】
以下、本発明を図１に示す実施例について説明する。図において（１）はレーザーポインター（ＬＰ）、（２）は受光器、（３）は受信器、（４）はパーソナルコンピューター（ＰＣ）、（１１）は発光部、（２１）は受光部、（２２）は制御部、（２３）は発信部（３１）は受信部、（３２）は制御部（３３）は出力部、（４１）は入力部および（４２）は駆動部を示す。
【０００７】
１例として、図１に本発明の概念図を示す。ＬＰ（１）は発光部（１１）を有し説明者等これを操作する者が駆動した時発光部よりレーザー光が発せられる。この光は一般的には赤色で前部のレンズ（図示しない）で適宜収束光として遠方に発光されＦＰにより投影されるスクリーン上の画面等一部を強く照明し説明のため用いられる。今、このスクリーンの近傍にこの光を受信できるように設けた受光器（２）に向けて上記レーザー光を発しその表面に設けられた受光部（２１）に当たった場合この光はただちに光電変換され電気信号として制御部（２２）に送られる。ここではこの信号をもとに改めて超音波、遠赤外線光あるいは電波信号等に適宜変換され発信部（２３）より受信器（３）方向に発信される。受信器（３）には前述の信号に感応する受信部（３１）が設けられこの信号を受信するとただちに内臓の制御部（３２）でＰＣ（４）の駆動用信号に変換され出力部（３３）よりＰＣの入力部（４１）に有線等で伝達される。このＰＣ（４）上の入力部（４１）は通常ＵＳＢポートが用いる上で便利である。ＰＣ（４）内に取り込まれたこの駆動用信号は内部に設けられた駆動部（４２）で具体的な操作駆動命令になりＰＣ（４）内の画像を適宜駆動する。なお、この駆動部（４２）のソフトウエアはＰＣ内の画像処理用ソフトウエアとは互いに協同して働くよう設定することが必要であるが、後者に予め駆動制御対応のプログラムを設けておけばその機能は一体化できる。
【０００８】
また、本例以外に受光器（２）に受光部（２１）を複数設け、ＬＰ（１）からの複数の指示命令（例えば次に進め、および前に戻れ等）にそれぞれ対応して応答することや、受光部（２１）は単数でレーザーポインター（１）からの光の種類（例えば光る回数や長さで区別）でやはり複数命令に対応すること等は可能である。同光もレーザー以外に光ダイオード等強い光源での代用や複数の色の使用も同様である。また、発信部（２３）と受信部（３１）は有線でもよい。さらに、受信機（３）から発せられる駆動操作の指示命令に基ずく画面操作駆動はＰＣ（４）に機械的駆動装置（図示しない）を設けてこの駆動機能を担当するキー（図示しない）を押して駆動することも応用例として可能である。
【０００９】
【発明の効果】
以上説明したように、本発明によれば比較的簡単なシステムで講演者や説明者はその本人が使用するＬＰのみでＰＪ投影の画面の説明と駆動操作をすばやく確実に意のままにできるようになる。視聴者も気持ちよく説明等に集中でき利便性は格段に上昇する。また、従来の介助者は不要となり効率も向上する。
【図面の簡単な説明】
【図１】本発明に関わる概念図を示す。
【符号の説明】
（１）　レーザーポインター（ＬＰ）
（２）　受光器
（３）　受信器
（４）　パーソナルコンピュータ（ＰＣ）
（１１）発光部
（２１）受光部
（２２）制御部
（２３）発信部
（３１）受信部
（３２）制御部
（３３）出力部
（４１）入力部
（４２）駆動部
【図１】
2004054873.tif 000003